(57)【要約】【課題】ＨＤＴＶ信号を非圧縮で伝送可能な伝送回線を用いて、ＨＤＴＶ信号と共にそれより解像度の低い縮小ＴＶ信号を選択的に伝送する。【解決手段】送信側では、多重処理装置１２において、ＨＤＴＶフォーマットにおける映像信号格納領域にＨＤＴＶ映像信号をマッピングし、補助データ格納領域にＨＤＴＶ音声信号と縮小ＳＤＴＶ信号の映像信号及び音声信号とをそれぞれ複数パケットに分割してマッピングすることでＨＤＴＶ信号と縮小ＳＤＴＶ信号を多重し、この多重ＨＤＴＶ信号を送出装置１３によりＨＤＴＶ伝送回線１１に送出する。受信側では、受信装置１４により伝送回線１１を通じて伝送されるＨＤＴＶ信号を受信し、分離処理装置１５により受信されたＨＤＴＶ信号から多重されているＨＤＴＶ信号、縮小ＳＤＴＶ信号を分離し再生出力する。【選択図】      図１
2004312489.tif 000002
【特許請求の範囲】
【請求項１】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号とＳＤＴＶ（標準デジタルテレビジョン）方式のデジタルテレビジョン信号（以下、ＳＤＴＶ信号）を縮小した縮小ＳＤＴＶ信号とを多重伝送するデジタルテレビジョン信号多重伝送システムであって、
前記ＨＤＴＶ方式の伝送フォーマット（以下、ＨＤＴＶフォーマット）における映像信号格納領域に前記ＨＤＴＶ信号の映像信号をマッピングし、前記ＨＤＴＶフォーマットにおける補助データ格納領域に前記ＨＤＴＶ信号の音声信号と前記縮小ＳＤＴＶ信号の映像信号及び音声信号とをそれぞれ複数パケットに分割してマッピングすることでＨＤＴＶ信号と縮小ＳＤＴＶ信号とを多重する多重処理装置と、
この多重処理装置で生成されたＨＤＴＶ信号を前記伝送回線に送出する送出装置と、
前記伝送回線を通じて伝送されるＨＤＴＶ信号を受信する受信装置と、
この受信装置で受信されたＨＤＴＶ信号から多重されているＨＤＴＶ信号、縮小ＳＤＴＶ信号を分離し再生出力する分離処理装置とを具備することを特徴とするデジタルテレビジョン信号多重伝送システム。
【請求項２】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）とを多重伝送するデジタルテレビジョン信号多重伝送システムであって、
前記ＨＤＴＶ方式の伝送フォーマット（以下、ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記ＨＤＴＶ信号の音声信号及び前記ＳＤＴＶ信号の音声信号とをそれぞれ複数のパケットに分割してマッピングすることでＨＤＴＶ信号とＳＤＴＶ信号とを多重する多重処理装置と、
この多重処理装置で生成されたＨＤＴＶ信号を前記伝送回線に送出する送出装置と、
前記伝送回線を通じて伝送されるＨＤＴＶ信号を受信する受信装置と、
この受信装置で受信されたＨＤＴＶ信号から多重されているＨＤＴＶ信号、ＳＤＴＶ信号を分離し再生出力する分離処理装置とを具備することを特徴とするデジタルテレビジョン信号多重伝送システム。
【請求項３】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）と、ＳＤＴＶ信号を縮小した縮小ＳＤＴＶ信号とを多重伝送するデジタルテレビジョン信号多重伝送システムであって、
前記ＨＤＴＶ方式の伝送フォーマット（以下ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記縮小ＳＤＴＶ信号の映像信号、前記ＨＤＴＶ信号の音声信号及び前記縮小ＳＤＴＶ信号の音声信号を複数パケットに分割してマッピングすることでＨＤＴＶ信号とＳＤＴＶ信号、縮小ＳＤＴＶ信号とを多重する多重処理装置と、
この多重処理装置で生成されたＨＤＴＶ信号を前記伝送回線に送出する送出装置と、
前記伝送回線を通じて伝送されるＨＤＴＶ信号を受信する受信装置と、
この受信装置で受信されたＨＤＴＶ信号から多重されているＨＤＴＶ信号、ＳＤＴＶ信号、縮小ＳＤＴＶ信号を分離し再生出力する分離処理装置とを具備することを特徴とするデジタルテレビジョン信号多重伝送システム。
【請求項４】
前記多重処理装置は、前記ＨＤＴＶ信号を複数チャンネル伝送する場合には、それぞれのＨＤＴＶ信号の映像信号を圧縮して前記ＨＤＴＶフォーマットの映像信号格納領域に並べてマッピングし、音声信号を必要に応じて取捨選択してパケット化し、前記補助データ格納領域にマッピングすることを特徴とする請求項１乃至３のいずれか記載のデジタルテレビジョン信号多重伝送システム。
【請求項５】
前記多重処理装置は、前記ＨＤＴＶ信号の所定のラインに制御信号が多重されている場合に、その制御信号を出力ＨＤＴＶ信号の予め決められたラインに乗せ換えることを特徴とする請求項１乃至４のいずれか記載のデジタルテレビジョン信号多重伝送システム。
【請求項６】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号とＳＤＴＶ（標準デジタルテレビジョン）方式のデジタルテレビジョン信号（以下、ＳＤＴＶ信号）を縮小した縮小ＳＤＴＶ信号とを多重伝送するデジタルテレビジョン信号多重伝送システムに用いられ、
前記ＨＤＴＶ方式の伝送フォーマット（以下、ＨＤＴＶフォーマット）における映像信号格納領域に前記ＨＤＴＶ信号の映像信号をマッピングし、前記ＨＤＴＶフォーマットにおける補助データ格納領域に前記ＨＤＴＶ信号の音声信号と前記縮小ＳＤＴＶ信号の映像信号及び音声信号とをそれぞれ複数パケットに分割してマッピングすることでＨＤＴＶ信号に縮小ＳＤＴＶ信号を多重することを特徴とする多重処理装置。
【請求項７】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）とを多重伝送するデジタルテレビジョン信号多重伝送システムに用いられ、
前記ＨＤＴＶ方式の伝送フォーマット（以下、ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記ＨＤＴＶ信号の音声信号及び前記ＳＤＴＶ信号の音声信号とをそれぞれ複数のパケットに分割してマッピングすることでＨＤＴＶ信号とＳＤＴＶ信号を多重することを特徴とする多重処理装置。
【請求項８】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）と、ＳＤＴＶ信号を縮小した縮小ＳＤＴＶ信号とを多重伝送するデジタルテレビジョン信号多重伝送システムに用いられ、
前記ＨＤＴＶ方式の伝送フォーマット（以下ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記縮小ＳＤＴＶ信号の映像信号、前記ＨＤＴＶ信号の音声信号及び前記縮小ＳＤＴＶ信号の音声信号を複数パケットに分割してマッピングすることでＨＤＴＶ信号、ＳＤＴＶ信号、縮小ＳＤＴＶ信号を多重することを特徴とする多重処理装置。
【請求項９】
前記ＨＤＴＶ信号を複数チャンネル伝送する場合には、それぞれのＨＤＴＶ信号の映像信号を圧縮して前記ＨＤＴＶフォーマットの映像信号格納領域に並べてマッピングし、音声信号を必要に応じて取捨選択してパケット化し、前記補助データ格納領域にマッピングすることを特徴とする請求項６乃至８のいずれか記載の多重処理装置。
【請求項１０】
前記ＨＤＴＶ信号の所定のラインに制御信号が多重されている場合に、その制御信号を出力ＨＤＴＶ信号の予め決められたラインに乗せ換えることを特徴とする請求項６乃至９のいずれか記載の多重処理装置。
【請求項１１】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号とＳＤＴＶ（標準デジタルテレビジョン）方式のデジタルテレビジョン信号（以下、ＳＤＴＶ信号）を縮小した縮小ＳＤＴＶ信号とを多重伝送するデジタルテレビジョン信号多重伝送システムに用いられ、
前記ＨＤＴＶ方式の伝送フォーマット（以下、ＨＤＴＶフォーマット）における映像信号格納領域に前記ＨＤＴＶ信号の映像信号をマッピングし、前記ＨＤＴＶフォーマットにおける補助データ格納領域に前記ＨＤＴＶ信号の音声信号と前記縮小ＳＤＴＶ信号の映像信号及び音声信号とをそれぞれ複数パケットに分割してマッピングすることでＨＤＴＶ信号と縮小ＳＤＴＶ信号とを多重して生成されたＨＤＴＶ信号を入力し、
このＨＤＴＶ信号から多重されているＨＤＴＶ信号、縮小ＳＤＴＶ信号を分離し再生出力することを特徴とする分離処理装置。
【請求項１２】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）とを多重伝送するデジタルテレビジョン信号多重伝送システムに用いられ、
前記ＨＤＴＶ方式の伝送フォーマット（以下、ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記ＨＤＴＶ信号の音声信号及び前記ＳＤＴＶ信号の音声信号とをそれぞれ複数のパケットに分割してマッピングすることでＨＤＴＶ信号とＳＤＴＶ信号とを多重して生成されたＨＤＴＶ信号を入力し、
このＨＤＴＶ信号から多重されているＨＤＴＶ信号、ＳＤＴＶ信号を分離し再生出力することを特徴とする分離処理装置。
【請求項１３】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）と、ＳＤＴＶ信号を縮小した縮小ＳＤＴＶ信号とを多重伝送するデジタルテレビジョン信号多重伝送システムに用いられ、
前記ＨＤＴＶ方式の伝送フォーマット（以下ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記縮小ＳＤＴＶ信号の映像信号、前記ＨＤＴＶ信号の音声信号及び前記縮小ＳＤＴＶ信号の音声信号を複数パケットに分割してマッピングすることでＨＤＴＶ信号にＳＤＴＶ信号、縮小ＳＤＴＶ信号を多重して生成されたＨＤＴＶ信号を入力し、
このＨＤＴＶ信号から多重されているＨＤＴＶ信号、ＳＤＴＶ信号、縮小ＳＤＴＶ信号を分離し再生出力することを特徴とする分離処理装置。
【請求項１４】
前記多重ＨＤＴＶ信号の生成において、複数チャンネルのＨＤＴＶ信号の映像信号を圧縮して前記ＨＤＴＶフォーマットの映像信号格納領域に並べてマッピングし、音声信号を必要に応じて取捨選択してパケット化し、前記補助データ格納領域にマッピングした信号であるとき、前記複数チャンネルのＨＤＴＶ信号を分離伸張して再生出力することを特徴とする請求項１１乃至１３のいずれか記載の分離処理装置。
【請求項１５】
前記多重ＨＤＴＶ信号の生成において、前記ＨＤＴＶ信号の所定のラインに多重されている制御信号を前記多重ＨＤＴＶ信号の予め決められたラインに乗せ換えているとき、当該ラインから制御信号を取り出して分離したＨＤＴＶ信号の所定ラインに多重し直すことを特徴とする請求項１１乃至１４のいずれか記載の分離処理装置。
【請求項１６】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号とＳＤＴＶ（標準デジタルテレビジョン）方式のデジタルテレビジョン信号（以下、ＳＤＴＶ信号）を縮小した縮小ＳＤＴＶ信号とを多重伝送するデジタルテレビジョン信号多重伝送システムに用いられ、
送信側で、前記ＨＤＴＶ方式の伝送フォーマット（以下、ＨＤＴＶフォーマット）における映像信号格納領域に前記ＨＤＴＶ信号の映像信号をマッピングし、前記ＨＤＴＶフォーマットにおける補助データ格納領域に前記ＨＤＴＶ信号の音声信号と前記縮小ＳＤＴＶ信号の映像信号及び音声信号とをそれぞれ複数パケットに分割してマッピングすることでＨＤＴＶ信号と縮小ＳＤＴＶ信号とを多重し、この多重処理されたＨＤＴＶ信号を前記伝送回線に送出するようにし、
受信側で、前記伝送回線を通じて伝送されるＨＤＴＶ信号を受信して、受信されたＨＤＴＶ信号から多重されているＨＤＴＶ信号、縮小ＳＤＴＶ信号を分離し再生出力するようにしたことを特徴とするデジタルテレビジョン信号多重伝送方法。
【請求項１７】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）とを多重伝送するデジタルテレビジョン信号多重伝送システムに用いられ、
送信側で、前記ＨＤＴＶ方式の伝送フォーマット（以下、ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記ＨＤＴＶ信号の音声信号及び前記ＳＤＴＶ信号の音声信号とをそれぞれ複数のパケットに分割してマッピングすることでＨＤＴＶ信号とＳＤＴＶ信号とを多重し、この多重処理されたＨＤＴＶ信号を前記伝送回線に送出するようにし、
受信側で、前記伝送回線を通じて伝送されるＨＤＴＶ信号を受信して、受信されたＨＤＴＶ信号から多重されているＨＤＴＶ信号、ＳＤＴＶ信号を分離し再生出力するようにしたことを特徴とするデジタルテレビジョン信号多重伝送方法。
【請求項１８】
ＨＤＴＶ（高精細デジタルテレビジョン）方式のデジタルテレビジョン信号（以下、ＨＤＴＶ信号）を非圧縮で伝送可能な伝送回線を利用して、ＨＤＴＶ信号と、ＳＤＴＶ（標準デジタルテレビジョン）方式のデジタルテレビジョン信号（以下、ＳＤＴＶ信号）と、ＳＤＴＶ信号を縮小した縮小ＳＤＴＶ信号とを多重伝送するデジタルテレビジョン信号多重伝送システムに用いられ、
送信側で、前記ＨＤＴＶ方式の伝送フォーマット（以下ＨＤＴＶフォーマット）における映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記縮小ＳＤＴＶ信号の映像信号、前記ＨＤＴＶ信号の音声信号及び前記縮小ＳＤＴＶ信号の音声信号を複数パケットに分割してマッピングすることでＨＤＴＶ信号とＳＤＴＶ信号、縮小ＳＤＴＶ信号とを多重し、この多重処理されたＨＤＴＶ信号を前記伝送回線に送出するようにし、
受信側で、前記伝送回線を通じて伝送されるＨＤＴＶ信号を受信し、受信されたＨＤＴＶ信号から多重されているＨＤＴＶ信号、ＳＤＴＶ信号、縮小ＳＤＴＶ信号を分離し再生出力するようにしたことを特徴とするデジタルテレビジョン信号多重伝送方法。
【請求項１９】
前記多重処理は、前記ＨＤＴＶ信号を複数チャンネル伝送する場合には、それぞれのＨＤＴＶ信号の映像信号を圧縮して前記ＨＤＴＶフォーマットの映像信号格納領域に並べてマッピングし、音声信号を必要に応じて取捨選択してパケット化し、前記補助データ格納領域にマッピングすることを特徴とする請求項１６乃至１８のいずれか記載のデジタルテレビジョン信号多重伝送方法。
【請求項２０】
前記多重処理は、前記ＨＤＴＶ信号の所定のラインに制御信号が多重されている場合に、その制御信号を出力ＨＤＴＶ信号の予め決められたラインに乗せ換えることを特徴とする請求項１６乃至１９のいずれか記載のデジタルテレビジョン信号多重伝送方法。
【発明の詳細な説明】
【０００１】
【発明の属する技術分野】
本発明は、ＨＤＴＶ（Ｈｉｇｈ  Ｄｅｆｉｎｉｔｉｏｎ  ＴＶ）方式のデジタルＴＶ信号を非圧縮で伝送する容量を有する伝送回線を利用して、ＨＤＴＶ信号に加え、ＳＤＴＶ（Ｓｔａｎｄａｒｄ  Ｄｅｆｉｎｉｔｉｏｎ  ＴＶ）方式による標準サイズ、縮小サイズのデジタルＴＶ信号を伝送するデジタルテレビジョン信号多重伝送システムとこのシステムに用いられる多重処理装置及び分離処理装置とデジタルテレビジョン信号多重伝送方法に関する。
【０００２】
【従来の技術】
近時開始予定の地上波デジタル放送では、ＨＤＴＶ放送が可能であることから、キー局とローカル局の局間伝送回線、あるいは取材現場と放送局との中継伝送回線に対して、ＨＤＴＶ信号を非圧縮で伝送するのに十分な容量を持つように整備が進められている。一方、地上波デジタル放送開始後、当面は既存のアナログ放送とデジタル放送のサイマル放送が予定されており、現行のＳＤＴＶ伝送も継続しなければならない。
【０００３】
しかしながら、従来のＳＤＴＶ用伝送回線とは別にＨＤＴＶ用伝送回線を確保することは、多大な運用コストがかかることになる。そこで、ＨＤＴＶ用伝送回線を利用してＳＤＴＶ信号を伝送可能とすることが要望されている。また、地上波デジタル放送では、携帯受信端末向けに縮小サイズのＳＤＴＶ信号を放送することが予定されているが、この縮小サイズのＳＤＴＶ信号も合わせてＨＤＴＶ用伝送回線で伝送可能とすることも要望されている。さらに、サイマル放送終了後でも、複数のＨＤＴＶ信号の多重伝送に利用可能とすることが要望されている。
【０００４】
【発明が解決しようとする課題】
本発明は上記の事情に鑑みてなされたもので、ＨＤＴＶ信号を非圧縮で伝送可能な伝送回線を用いて、ＨＤＴＶ信号と共にそれより解像度の低い標準ＴＶ信号、縮小ＴＶ信号を選択的に伝送することができ、多種多様な伝送回線の確保を不要とすることのできるデジタルテレビジョン信号多重伝送システムとこのシステムに用いる多重処理装置及び分離処理装置とデジタルテレビジョン信号多重伝送方法を提供することを目的とする。
【０００５】
【課題を解決するための手段】
上記目的を達成するために、本発明に係るデジタルテレビジョン信号多重伝送システムは、以下のように構成される。
【０００６】
（１）（ＨＤＴＶ＋縮小ＳＤＴＶ）
ＨＤＴＶ信号を非圧縮で伝送可能な伝送回線を利用して、ＨＤＴＶ信号とＳＤＴＶ信号を縮小した縮小ＳＤＴＶ信号と多重伝送するデジタルテレビジョン信号多重伝送システムであって、
ＨＤＴＶフォーマットにおける映像信号格納領域に前記ＨＤＴＶ信号の映像信号をマッピングし、前記ＨＤＴＶフォーマットにおける補助データ格納領域に前記ＨＤＴＶ信号の音声信号と前記縮小ＳＤＴＶ信号の映像信号及び音声信号とをそれぞれ複数パケットに分割してマッピングすることでＨＤＴＶ信号に縮小ＳＤＴＶ信号を多重する多重処理装置と、
この多重処理装置で生成されたＨＤＴＶ信号を前記伝送回線に送出する送出装置と、
前記伝送回線を通じて伝送されるＨＤＴＶ信号を受信する受信装置と、
この受信装置で受信されたＨＤＴＶ信号から多重されているＨＤＴＶ信号、縮小ＳＤＴＶ信号を分離し再生出力する分離処理装置とを具備する構成とする。
【０００７】
上記のように構成することで、ＨＤＴＶ信号に縮小ＳＤＴＶ信号を多重して伝送し、受信側で分離出力することが可能となる。
【０００８】
（２）（ＨＤＴＶ＋ＳＤＴＶ）
ＨＤＴＶ信号を非圧縮で伝送可能な伝送回線を利用して、ＨＤＴＶ信号とＳＤＴＶ信号とを多重伝送するデジタルテレビジョン信号多重伝送システムであって、
ＨＤＴＶフォーマットにおける映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記ＨＤＴＶ信号の音声信号及び前記ＳＤＴＶ信号の音声信号とをそれぞれ複数のパケットに分割してマッピングすることでＨＤＴＶ信号とＳＤＴＶ信号とを多重する多重処理装置と、
この多重処理装置で生成されたＨＤＴＶ信号を前記伝送回線に送出する送出装置と、
前記伝送回線を通じて伝送されるＨＤＴＶ信号を受信する受信装置と、
この受信装置で受信されたＨＤＴＶ信号から多重されているＨＤＴＶ信号、ＳＤＴＶ信号を分離し再生出力する分離処理装置とを具備する構成とする。
【０００９】
上記のように構成することで、ＨＤＴＶ信号にＳＤＴＶ信号を多重して伝送し、受信側で分離出力することが可能となる。
【００１０】
（３）（ＨＤＴＶ＋ＳＤＴＶ＋縮小ＳＤＴＶ）
ＨＤＴＶ信号を非圧縮で伝送可能な伝送回線を利用して、ＨＤＴＶ信号と、ＳＤＴＶ信号と、ＳＤＴＶ信号を縮小した縮小ＳＤＴＶ信号とを多重伝送するデジタルテレビジョン信号多重伝送システムであって、
ＨＤＴＶフォーマットにおける映像信号格納領域に前記ＨＤＴＶ信号の映像信号を圧縮してマッピングすることで前記ＳＤＴＶ信号の映像信号を格納するための空き領域を生成し、この空き領域に前記ＳＤＴＶ信号の映像信号をマッピングし、前記ＨＤＴＶフォーマットにおける補助データ格納領域に前記縮小ＳＤＴＶ信号の映像信号、前記ＨＤＴＶ信号の音声信号及び前記縮小ＳＤＴＶ信号の音声信号を複数パケットに分割してマッピングすることでＨＤＴＶ信号、ＳＤＴＶ信号、縮小ＳＤＴＶ信号を多重する多重処理装置と、
この多重処理装置で生成されたＨＤＴＶ信号を前記伝送回線に送出する送出装置と、
前記伝送回線を通じて伝送されるＨＤＴＶ信号を受信する受信装置と、
この受信装置で受信されたＨＤＴＶ信号から多重されているＨＤＴＶ信号、ＳＤＴＶ信号、縮小ＳＤＴＶ信号を分離し再生出力する分離処理装置とを具備する構成とする。
【００１１】
上記のように構成することで、ＨＤＴＶ信号、ＳＤＴＶ信号及び縮小ＳＤＴＶ信号を多重して伝送し、受信側で分離出力することが可能となる。
【００１２】
【発明の実施の形態】
以下、図面を参照して本発明の実施の形態を詳細に説明する。
【００１３】
図１は本発明に係るデジタルテレビジョン信号多重伝送システムの構成を示すもので、伝送回線１１は、Ｙ（輝度）信号及びＣ（色差）信号からなる水平画素数１９２０×走査線数１０８０の映像信号、１６チャンネルの音声信号を有するＨＤＴＶ方式によるデジタルＴＶ信号（以下、ＨＤＴＶ信号）を非圧縮で伝送可能な容量を有する。
【００１４】
図１において、送信側は、多重処理装置１２、制御装置１３、送出装置１４を備える。
【００１５】
多重処理装置１２は、２チャンネルのＨＤＴＶ信号（映像有効領域の水平画素数１９２０×走査線数１０８０）ＨＤ１，ＨＤ２、１チャンネルのＳＤＴＶ信号（水平画素数７２０×走査線数５０７（映像有効領域４８０＋垂直同期期間重畳領域２７＝５０７）：以下、ＳＤＴＶ信号）ＳＤ１、１チャンネルの縮小ＳＤＴＶ信号（水平画素数７２０×走査線数４８０）ＳＤ２を制御装置１３からの指示に従って選択的に取り込み、モード別にＨＤＴＶ信号の指定領域にマッピングする。このようにして生成されたＨＤＴＶ信号は送出装置１４に送られる。
【００１６】
制御装置１３は、伝送すべきＴＶ信号の指示入力に応じて多重処理装置１２にマッピング処理を指示し、個々のマッピング処理ステータスを見て、全てのマッピング処理が完了した時点で多重処理装置１２の出力を送出装置１４により伝送回線１１に送出させる。
【００１７】
尚、多重処理装置１１において、ＨＤＴＶ映像信号については、非圧縮、水平１／２圧縮、水平３／４圧縮、水平３／８圧縮の３種の圧縮処理機能を備えるものとする。また、ＳＤＴＶ信号を１／２に縮小する圧縮機能も備えるものとする。
【００１８】
受信側は、受信装置１５、分離処理装置１６、制御装置１７を備える。受信装置１５は、伝送回線１１を通じて送られてくるＨＤＴＶ信号を受信するもので、このＨＤＴＶ信号は分離処理装置１６に送られる。この分離処理装置１６は、入力ＨＤＴＶ信号から多重されている信号を分離し、圧縮されている場合には伸張して再生出力するものである。制御装置１７は、受信装置１５の受信状況を監視し、ＨＤＴＶ信号受信時に分離処理装置１６に分離処理を実行させ、個々の分離処理ステータスを見ながら多重されているＴＶ信号を再生出力させる。
【００１９】
上記構成によるシステムの運用について、ＡＲＩＢ標準規格ＢＴＡ  Ｓ−００５Ｂ「１１２５／６０方式ＨＤＴＶビット直列インターフェースにおける補助データの共通規格」に基づくシステムを想定して説明する。
【００２０】
ＨＤＴＶ方式の規格上の伝送フォーマットとしては、図２に示すように、Ｙ信号系列とＣ信号系列を備え、各系列はそれぞれ有効映像（Ａｃｔｉｖｅ  Ｐｉｃｔｕｒｅ）領域（１９２０×１０８０画素相当）＋第１補助領域（２８０×１１２５画素相当）＋第２補助データ領域（１９２０×４５画素相当）が規定されている。
【００２１】
上記第１補助領域は、ＥＡＶ（Ｅｎｄ  ｏｆ  Ａｃｔｉｖｅ  Ｖｉｄｅｏ）＋ｅｔｃ、ＨＡＮＣ（Ｈｏｒｉｚｏｎｔａｌ  Ａｎｃｉｌｌａｒｙ）、ＳＡＶ（Ｓｔａｒｔ  ｏｆ  Ａｃｔｉｖｅ  Ｖｉｄｅｏ）の領域を備え、第２補助領域は、有効映像領域の上下にＶＡＮＣ（Ｖｅｒｔｉｃａｌ  Ａｎｃｉｌｌａｒｙ）領域を備えている。このうち、Ｙ信号系列の上側ＶＡＮＣ領域はネットキューなどに使用され、Ｃ信号系列のＨＡＮＣ領域にはエンベデッドオーディオに使用される。このため、縮小ＳＤＴＶ信号の伝送に利用可能な領域（以下、付加情報領域と称する）としては、図中網掛けで示すＹ信号系列のＨＡＮＣ領域及び下側ＶＡＮＣ領域、Ｃ信号系列の上下ＶＡＮＣ領域である。但し、ＨＡＮＣ領域の９，１０，５７１ラインはＳＭＰＴＥ−ＲＰ１８８  ＴＣの伝送に使用しているため、利用することはできない。
【００２２】
ここで、ＡＮＣパケットのＵＤＷを最大値の２５５で使用するものとすれば、１パケットは２６２ワードとなる。このため、１ライン当たり、ＨＡＮＣ領域では１パケット、ＶＡＮＣ領域では７パケット挿入可能である。
【００２３】
以下、上記多重処理装置１２の多重化方法をパターン別に説明する。
【００２４】
（パターン１）ＨＤＴＶ＋縮小ＳＤＴＶ
（１−１）ＨＤＴＶ１チャンネルモード
このモードでは、ＨＤＴＶ信号ＨＤ１に加え、携帯受信端末向けの低ビットレート映像用として、ＳＤＴＶ信号を縮小した縮小ＳＤＴＶ信号ＳＤ２も同時に伝送するものとする。
【００２５】
多重処理装置１２では、第１チャンネルのＨＤＴＶ信号ＨＤ１と縮小ＳＤＴＶ信号ＳＤ２を取り込む。そして、図３に示すように、ＨＤＴＶ方式の伝送フォーマットにおけるＹ信号の系列有効映像領域にＨＤ１のＹ信号をマッピングし、Ｃ信号系列の有効映像領域領域にＨＤ１のＣ信号をマッピングする。
【００２６】
一方、縮小ＳＤＴＶ信号ＳＤ２については、伝送時に４８０×７２０の映像信号を横１／２に縮小する。この場合、Ｙ信号、Ｃ信号合わせて総画素数が４８０×３６０×２＝３４５，６００画素となる。このため、ＡＮＣパケットのＵＤＷを最大値の２５５で使用した場合、縮小ＳＤＴＶ信号ＳＤ２を伝送するためには１３５６パケット分が必要となる。そこで、縮小ＳＤＴＶ信号ＳＤ２のＹ，Ｃ信号を約１４４０パケットに分割し、ＨＡＮＣ／ＶＡＮＣ付加情報領域に適宜割り当てる。
【００２７】
選択したＨＤＴＶ信号ＨＤ１の音声信号が１６チャンネル、縮小ＳＤＴＶ信号ＳＤ２の音声信号が２チャンネルの場合は、第２領域の補助データ格納領域にあるＨＡＮＣ領域に対し、第１乃至第８チャンネルにＨＤ１の音声信号８チャンネル分を選択して割り当て、第１５乃至第１６チャンネルにＳＤ２の２チャンネルを割り当てる。尚、原信号の音声信号チャンネル数が割り当てチャンネル数を越える場合には、取捨選択するものとする（以下、同様）。
【００２８】
また、入力ＨＤＴＶ信号ＨＤ１には、ラインＹ１９（５８２）（Ｙ信号第１９ライン及び第５８２ラインの意。以下、同様），Ｙ２０（５８３）にネットキュー信号が多重されている。そこで、これらのネットキュー信号は、伝送ＨＤＴＶ信号の同一のラインＹ１９（５８２），Ｙ２０（５８３）に割り当てるものとする。
【００２９】
（１−２）ＨＤＴＶ２チャンネルモード
このモードでは、ＨＤＴＶ１チャンネルとＨＤＴＶ２チャンネルを伝送し、それぞれダウンコンバートして、ＳＤＴＶ２チャンネル放送のいわゆる「まだら編成」を想定している。さらに、前述の縮小ＳＤＴＶ信号も同時に伝送するものとする。
【００３０】
この場合、制御装置１３から多重処理装置１２にＨＤＴＶ１チャンネル／ＨＤＴＶ２チャンネルを交互に選択するように、また縮小ＳＤＴＶチャンネルを継続的に選択するように指示する。
【００３１】
多重処理装置１２では、第１及び第２チャンネルのＨＤＴＶ信号ＨＤ１，ＨＤ２と縮小ＳＤＴＶ信号ＳＤ２を取り込む。そして、図４に示すように、ＨＤ１，ＨＤ２を水平方向に１／２に圧縮し（９６０×１０８０）、各Ｙ信号をＹ信号系列の有効映像領域に、Ｃ信号をＣ信号系列の有効映像領域にそれぞれ左右に並べてマッピングする。また、Ｙ信号系列の付加情報領域に縮小ＳＤＴＶ信号ＳＤ２のＹ，Ｃ信号は先に述べた形式でマッピングする。
【００３２】
一方、ＨＤ１，ＨＤ２の音声信号がそれぞれ１６チャンネル、縮小ＳＤＴＶ信号ＳＤ２の音声信号が２チャンネルの場合は、Ｃ信号系列のＨＡＮＣ領域において、第１乃至第８チャンネルにＨＤ１の音声信号８チャンネル分を選択して割り当て、第９乃至第１２チャンネルにＨＤ２の音声信号４チャンネル分を選択して割り当て、第１５乃至第１６チャンネルにＳＤ２の２チャンネルを割り当てる。または、第１乃至第６チャンネルにＨＤ１の音声信号６チャンネル分を選択して割り当て、第７乃至第１２チャンネルにＨＤ２の音声信号６チャンネル分を選択して割り当て、第１５乃至第１６チャンネルにＳＤ２の２チャンネルを割り当てる。
【００３３】
尚、入力ＨＤＴＶ信号ＨＤ１，ＨＤ２には、いずれもラインＹ１９（５８２），Ｙ２０（５８３）にネットキュー信号が多重されている。そこで、このモードにおいては、ＨＤ１のネットキュー信号は、伝送ＨＤＴＶ信号のラインＹ１９（５８２）（Ｙ信号第１９ライン及び第５８２ラインの意。以下、同様），Ｙ２０（５８３）に割り当てるものとし、ＨＤ２のネットキュー信号は伝送ＨＤＴＶ信号のラインＣ１９（５８２），Ｃ２０（５８３）に割り当てるものとする。
【００３４】
上記のようにマッピングされたＨＤＴＶ信号は、通常のＨＤＴＶフォーマットとなっていることから、送出装置１４では従前の通り入力ＨＤＴＶ信号を所定の伝送フォーマットに変換して伝送回線１１に送出すればよい。受信側では、受信装置１５で伝送回線１１の伝送信号を受信してＨＤＴＶ信号を再生し、分離処理装置１６にて合成されている信号を分離し、圧縮されている場合には伸張して出力する。
【００３５】
以上（１−１），（１−２）のモード処理により、ＨＤＴＶ非圧縮伝送回線１１を利用して、ＨＤＴＶ信号１チャンネルまたは２チャンネルに加えて携帯受信端末用の縮小ＳＤＴＶ信号を同時に伝送することができる。
【００３６】
（パターン２）ＨＤＴＶ＋標準ＳＤＴＶ＋縮小ＳＤＴＶ
このパターン２では、パターン１の処理に加えて、アナログサイマル放送用のＳＤＴＶ信号を同時に伝送することを想定している。ここで、民生用のＨＤＴＶモニタの水平解像度が１０００本程度しかないため、ＨＤＴＶ信号は１４４０本程度の水平解像度で十分と考えられることを前提とし、ＨＤＴＶ信号を水平方向に３／４だけ圧縮するものとする。
【００３７】
（２−１）ＨＤＴＶ１チャンネルモード
多重処理装置１２では、第１チャンネルのＨＤＴＶ信号ＨＤ１とＳＤＴＶ信号ＳＤ１と縮小ＳＤＴＶ信号ＳＤ２を取り込む。そして、図５に示すように、ＨＤ１を水平方向に３／４に圧縮し（１４４０×１０８０）、Ｙ信号をＹ信号系列の有効映像領域の一部に、Ｃ信号をＣ信号系列の有効映像領域の一部にマッピングする。また、ＳＤ１（７２０×５０２）をＹ，Ｃ共に左右に２分割し、それぞれＹ，Ｃ信号系列の有効映像領域の残り部分に上下に並べてマッピングする。例えば、第１フィールドについては１２〜２６２の２５１ラインに、第２フィールドが２７５〜５２５の２５１ラインに割り当てられる。尚、Ｃ信号については、Ｃｒ，Ｃｂを１組として取り扱う。また、ＳＤ２については、パターン１の場合と同様に処理する。
【００３８】
一方、選択したＨＤＴＶ信号ＨＤ１の音声信号が１６チャンネル、ＳＤＴＶ信号ＳＤ１の音声信号が２チャンネル、縮小ＳＤＴＶ信号ＳＤ２の音声信号が２チャンネルの場合は、Ｃ信号系列のＨＡＮＣ領域において、第１乃至第８チャンネルにＨＤ１の音声信号８チャンネル分を選択して割り当て、第１３乃至第１４チャンネルにＳＤ１の２チャンネルを割り当て、第１５乃至第１６チャンネルにＳＤ２の２チャンネルを割り当てる。
【００３９】
また、入力ＨＤＴＶ信号ＨＤ１のラインＹ１９（５８２），Ｙ２０（５８３）に多重されているネットキュー信号については、伝送ＨＤＴＶ信号の同一のラインに割り当てるものとする。
【００４０】
（２−２）ＨＤＴＶ２チャンネルモード
多重処理装置１２では、第１及び第２チャンネルのＨＤＴＶ信号ＨＤ１，ＨＤ２と、ＳＤＴＶ信号ＳＤ１と、縮小ＳＤＴＶ信号ＳＤ２を取り込む。そして、図６に示すように、ＨＤ１，ＨＤ２を水平方向に３／８に圧縮し（７２０×１０８０）、各Ｙ信号をＹ信号系列の有効映像領域に、Ｃ信号をＣ信号系列の有効映像領域にそれぞれ水平方向に並べてマッピングする。また、ＳＤ１を（１−１）モードと同様にＹ，Ｃ共に左右に２分割し、それぞれＹ，Ｃ信号系列の有効映像領域の残り部分に上下に並べてマッピングする。また、ＳＤ２については、パターン１の場合と同様に処理する。
【００４１】
一方、ＨＤ１，ＨＤ２の音声信号がそれぞれ１６チャンネル、ＳＤＴＶ信号ＳＤ１の音声信号が２チャンネル、縮小ＳＤＴＶ信号ＳＤ２の音声信号が２チャンネルの場合は、Ｃ信号系列のＨＡＮＣ領域において、第１乃至第８チャンネルにＨＤ１の音声信号８チャンネル分を選択して割り当て、第９乃至第１２チャンネルにＨＤ２の音声信号４チャンネル分を選択して割り当て、第１３乃至第１４チャンネルにＳＤ１の２チャンネルを割り当て、第１５乃至第１６チャンネルにＳＤ２の２チャンネルを割り当てる。または、第１乃至第６チャンネルにＨＤ１の音声信号６チャンネル分を選択して割り当て、第７乃至第１２チャンネルにＨＤ２の音声信号６チャンネル分を選択して割り当て、第１３乃至第１４チャンネルにＳＤ１の２チャンネルを割り当て、第１５乃至第１６チャンネルにＳＤ２の２チャンネルを割り当てる。
【００４２】
尚、入力ＨＤＴＶ信号ＨＤ１，ＨＤ２には、いずれもラインＹ１９（５８２），Ｙ２０（５８３）にネットキュー信号が多重されている。そこで、このモードにおいては、ＨＤ１のネットキュー信号は、伝送ＨＤＴＶ信号のラインＹ１９（５８２），Ｙ２０（５８３）に割り当てるものとし、ＨＤ２のネットキュー信号は伝送ＨＤＴＶ信号のラインＣ１９（５８２），Ｃ２０（５８３）に割り当てるものとする。
【００４３】
上記のようにマッピングされたＨＤＴＶ信号は、通常のＨＤＴＶフォーマットとなっていることから、送出装置１４では従前の通り入力ＨＤＴＶ信号を所定の伝送フォーマットに変換して伝送回線１１に送出すればよい。受信側では、受信装置１５で伝送回線１１の伝送信号を受信してＨＤＴＶ信号を再生し、分離処理装置１６にて合成されている信号を分離し、圧縮されている場合には伸張して出力する。
【００４４】
以上（２−１），（２−２）のモード処理により、ＨＤＴＶ非圧縮伝送回線１１を利用して、ＨＤＴＶ信号１チャンネルまたは２チャンネルに加えて、サイマル用のＳＤＴＶ信号、携帯受信端末用の縮小ＳＤＴＶ信号を同時に伝送することができる。
【００４５】
ところで、本システムでは、送信側と受信側の連係を図るため、ＨＤＴＶ伝送の際に、上記（１−１），（１−２），（２−１），（２−２）のモード情報、ＨＤＴＶ信号の多重チャンネル数、縮小ＳＤＴＶ信号多重の有無、機器ＩＤ、誤り訂正用のチェックビット等の情報を伝送する必要がある。これらの情報は制御パケットの形式でＨＤＴＶ伝送信号に付加することで、受信側で対処することができる。
【００４６】
尚、上記実施形態では、規格上のＨＤＴＶ画面上にＳＤＴＶをマッピングする場合について説明したが、本発明はこれに限定されるものではなく、規格外の場合でも同様に実施可能である。
【００４７】
また、通常の運用においては、ＨＤＴＶ、標準ＳＤＴＶ、縮小ＳＤＴＶがいずれも同一素材（番組）であることが想定されるが、それぞれ相互間で関連性のない別々の素材（番組）でも差し支えない。
【００４８】
【発明の効果】
以上のように本発明によれば、ＨＤＴＶ信号を非圧縮で伝送可能な伝送回線を用いて、ＨＤＴＶ信号と共にそれより解像度の低い標準ＴＶ信号、縮小ＴＶ信号を選択的に伝送することができ、多種多様な伝送回線の確保を不要とすることのできるデジタルテレビジョン信号多重伝送システムとこのシステムに用いる多重処理装置及び分離処理装置とデジタルテレビジョン信号多重伝送方法を提供することができる。
【図面の簡単な説明】
【図１】本発明の一実施形態に係るデジタルテレビジョン信号多重伝送システムの構成を示すブロック図。
【図２】上記実施形態で適用するＨＤＴＶ伝送フォーマットの構成を示す図。
【図３】上記実施形態において、（パターン１）ＨＤＴＶ＋縮小ＳＤＴＶの（１−１）ＨＤＴＶ１チャンネルモードの処理動作を示す図。
【図４】上記実施形態において、（パターン１）ＨＤＴＶ＋縮小ＳＤＴＶの（１−２）ＨＤＴＶ２チャンネルモードの処理動作を示す図。
【図５】上記実施形態において、（パターン２）ＨＤＴＶ＋標準ＳＤＴＶ＋縮小ＳＤＴＶの（２−１）ＨＤＴＶ１チャンネルモードの処理動作を示す図。
【図６】上記実施形態において、（パターン２）ＨＤＴＶ＋標準ＳＤＴＶ＋縮小ＳＤＴＶの（２−２）ＨＤＴＶ２チャンネルモードの処理動作を示す図。
【符号の説明】
１１…伝送回線、
１２…多重処理装置、
１３…制御装置、
１４…送出装置、
１５…受信装置、
１６…分離処理装置、
１７…制御装置。
【図１】
2004312489.tif 000003
【図２】
2004312489.tif 000004
【図３】
2004312489.tif 000005
【図４】
2004312489.tif 000006
【図５】
2004312489.tif 000007
【図６】
2004312489.tif 000008